【手続補正書】
【提出日】平成25年1月10日(2013.1.10)
【手続補正１】
【補正対象書類名】明細書
【補正対象項目名】０００７
【補正方法】変更
【補正の内容】
【０００７】
本発明は、軸方向に往復動するパンチ（５）と、該パンチ（５）と軸方向に対向して配置されるダイ（６）と、を備え、該パンチ（５）及びダイ（６）によりシート状の被穿孔材（Ｓ）に複数の孔を明ける穿孔装置において、
１又は複数の前記パンチ（５）及び該パンチ（５）と同数の前記ダイ（６）を保持するホルダ（２、５０）と、
前記ホルダ（２、５０）を被穿孔材（Ｓ）に明けるべき複数の孔の配列方向に移動させる移動手段（１６）と、
前記パンチ（５）の移動位置に拘らず該パンチ（５）を前記ダイ（６）に向けて移動させて被穿孔材（Ｓ）に孔を明ける駆動手段（１７）と、
前記パンチ（５）を前記ダイ（６）と反対方向に移動させる復帰手段（１２ａ〜１２ｃ）と、を有し、
前記移動手段（１６）により前記ホルダ（２、５０）を移動して前記パンチ（５）の位置を被穿孔材（Ｓ）に対し移動させることにより、前記ホルダ（２、５０）に保持された前記パンチ（５）の数よりも多い孔を、被穿孔材（Ｓ）に明けることを可能としたことを特徴とする穿孔装置にある。
【手続補正２】
【補正対象書類名】明細書
【補正対象項目名】００２５
【補正方法】変更
【補正の内容】
【００２５】
なお、ガイド溝１１ａ及び突起部１１ｂの位置関係は逆であっても良い。即ち、突起部１１ｂをガイド孔７ａの内周面に、ガイド溝１１ａをパンチ５の外周面に形成しても良い。何れにしても、パンチ５を回転させる駆動源を別途設ける必要がないため、効率良く孔明けを行うことができると共に、省動力化を図れる。
【手続補正３】
【補正対象書類名】明細書
【補正対象項目名】００２９
【補正方法】変更
【補正の内容】
【００２９】
また、ダイ６は、断面円形に形成され、ダイ保持部８を貫通するようにパンチ５と同心に配置されている。ダイ保持部８は連結部９によりパンチ保持部７と固定されているため、後述するホルダ２の移動に拘らず、パンチ５とダイ６との同心は維持される。このようにパンチ５と同数のダイ６をホルダ２に保持すれば、パンチ５とダイ６との中心軸を一致させ易く、高品質な孔形状を得られる。また、ダイ保持部８の下面には、次述するガイドビーム４の上面に配置されたレール１３に係合するレール溝８ａを、被穿孔材に明けるべき複数の孔の配列方向に形成している。このレール溝８ａは、ダイ保持部８の下面で配列方向両端部に開口するように形成される。
【手続補正４】
【補正対象書類名】明細書
【補正対象項目名】００３７
【補正方法】変更
【補正の内容】
【００３７】
また、回転軸３ａは、駆動源であるモータ１７ａにより減速機構１７ｂを介して回転駆動される。即ち、モータ１７ａの回転軸に固定された歯数の少ない小歯車と、偏心カム３の回転軸３ａの端部に固定された歯数の多い大歯車とを噛合させ、モータ１７ａの回転を回転軸３ａに減速して伝達している。なお、減速機構１７ｂは省略しても良い。本実施形態の場合、偏心カム３、回転軸３ａ、モータ１７ａ及び減速機構１７ｂにより駆動手段１７を構成している。
【手続補正５】
【補正対象書類名】明細書
【補正対象項目名】００５０
【補正方法】変更
【補正の内容】
【００５０】
また、第１グループのカム部３１の位置だけで孔明けを順次行いたい場合には、偏心カム３０を０°の位置から図３の矢印γ方向に９０°回転させ、その位置から逆方向に９０°回転させれば良い。一方、第３グループのカム部３３の位置だけで孔明けを順次行いたい場合には、偏心カム３０を０°の位置から図３の矢印γ方向と逆方向に９０°回転させ、その位置からまた逆方向、即ち図３の矢印γ方向に９０°回転させれば良い。また、第１のグループ又は第３のグループに加えて第２のグループのカム部３２の位置でも孔明けを行いたい場合には、第１又は第３のグループによる孔明け後に同方向に更に９０°回転させ、その後、１８０°逆方向に回転させれば良い。この場合、逆回転時に第１又は第３のグループのカム部３１又は３３が対応するパンチ５と係合するが、この対応するパンチ５は既に明けられた孔を通過するだけである。
【手続補正６】
【補正対象書類名】明細書
【補正対象項目名】００５１
【補正方法】変更
【補正の内容】
【００５１】
また、本実施形態の場合、偏心カム３０の回転位置を検知する回転検知手段である回転検知センサ１７ｃは、例えば、偏心カム３０の回転軸３０ａと共に回転し、円周方向の特性が変化するトーンホイールと、このトーンホイールの特性変化を検出する検知部とから構成される。本実施形態の場合、円板状のトーンホイールの円周方向複数個所に形成する切り欠き又は透孔を、カム部３１、３２、３３及び角度０°に対応する部分に形成する。これにより、カム部３１、３２、３３が対応するパンチ５と係合したこと、及び、カム部３１、３２、３３がパンチ５と干渉しない位置に回転したことを検知できる。
【手続補正７】
【補正対象書類名】明細書
【補正対象項目名】００５３
【補正方法】変更
【補正の内容】
【００５３】
また、上述の各カム部の位相差及びグループ数は、任意に設定できる。また、ホルダ２の１ピッチ内でのカム部の配置関係も任意に設定可能である。例えば、グループ数を４つ以上とし、位相差をこの数に対応した角度とする。但し、何れの場合であっても、パンチ５の上昇位置で全てのカム部がパンチ５と干渉しない位相を設ける。また、複数のグループのうち、少なくとも１つのグループを１個のカム部で構成し、且つ、この１個のカム部のみを駆動可能なようにこのカム部の位相を設定すれば、例えば、所定間隔の２個の孔のみを明ける場合に、１個目の孔をこの１個のカム部により明け、ホルダ２を次の孔に移動して更にこの１個のカム部により明けることが可能となる。また、この構成で、３０孔や２０孔を明ける場合には、全て或は１部のカム部を更に駆動することにより、効率良く多数の孔を形成することができる。
【手続補正８】
【補正対象書類名】明細書
【補正対象項目名】００５６
【補正方法】変更
【補正の内容】
【００５６】
一方、カム部３１、３２、３３は、それぞれの間にスペーサ４１を介して配置され、間隔がパンチ５の間隔と同じとなるようにしている。また、上述したように、カム部３１、３２、３３は（必要に応じてスペーサ４１も）回転軸４０ａとスプライン係合しているため、回転軸４０ａと共に回転する。また、カム部３１、３２、３３は、ホルダ５０の腕部５１ａ、５１ｂ同士の間に挟持されているため、ホルダ５０と共に回転軸４０ａに沿って移動する。
【手続補正９】
【補正対象書類名】特許請求の範囲
【補正対象項目名】請求項１
【補正方法】変更
【補正の内容】
【請求項１】
軸方向に往復動するパンチと、該パンチと軸方向に対向して配置されるダイと、を備え、該パンチ及びダイによりシート状の被穿孔材に複数の孔を明ける穿孔装置において、
１又は複数の前記パンチ及び該パンチと同数の前記ダイを保持するホルダと、
前記ホルダを被穿孔材に明けるべき複数の孔の配列方向に移動させる移動手段と、
前記パンチの移動位置に拘らず該パンチを前記ダイに向けて移動させて被穿孔材に孔を明ける駆動手段と、
前記パンチを前記ダイと反対方向に移動させる復帰手段と、を有し、
前記移動手段により前記ホルダを移動して前記パンチの位置を被穿孔材に対し移動させることにより、前記ホルダに保持された前記パンチの数よりも多い孔を、被穿孔材に明けることを可能としたことを特徴とする穿孔装置。